(57)【要約】【課題】  利用者のコンテンツ購入にかかる手続を簡素化し、コンテンツの不正利用を防止する。【解決手段】  コンテンツ利用装置が、コンテンツサーバから送信されるコンテンツ鍵を揮発性記憶装置に書き込み、決済完了に伴い、この揮発性記憶装置に書き込まれたコンテンツ鍵を不揮発性記憶装置に複写して保持する。また、コンテンツ提供装置がコンテンツ利用装置に対してコンテンツ鍵を送信し、決済処理の終了に伴いコンテンツ利用装置で実行される、揮発性記憶装置に書き込まれたコンテンツ鍵の不揮発性記憶装置への複写を、コンテンツ利用装置から発行されるコンテンツ配信要求の受信を契機に無効にして要求コンテンツを暗号化して配信する。【選択図】      図２
2006013694.tif 000002
【特許請求の範囲】
【請求項１】
コンテンツを提供するコンテンツ提供装置とはネットワークを介して接続され、配信されたコンテンツを利用するコンテンツ利用装置であって、
コンテンツ配信要求に従い前記コンテンツ提供装置から送信されるコンテンツ鍵が書き込まれる揮発性記憶装置と、
決済完了に伴い、前記揮発性記憶装置に書き込まれたコンテンツ鍵が複写され保持される不揮発性記憶装置と、
を備えたことを特徴とするコンテンツ利用装置。
【請求項２】
コンテンツ利用装置とはネットワークを介して接続され、要求されたコンテンツを配信するコンテンツ提供装置であって、
前記コンテンツ利用装置からコンテンツ鍵要求を受信してコンテンツ鍵を送信するコンテンツ鍵送信部と、
決済処理の終了に伴い、前記利用者装置で実行される、揮発性記憶装置に書き込まれた鍵情報の不揮発性記憶装置への複写を、前記コンテンツ利用装置から発行されるコンテンツ配信要求の受信を契機に無効にする指示を発行するコンテンツ鍵リセット指示部と、
前記コンテンツ鍵が無効になった後、前記要求コンテンツを暗号化して配信する暗号化コンテンツ配信部と、
を備えたことを特徴とするコンテンツ提供装置。
【請求項３】
コンテンツを配信するコンテンツ提供装置と、配信された前記コンテンツを利用するコンテンツ利用装置がネットワークを介して接続されるコンテンツ提供システムであって、
前記コンテンツ利用装置は、コンテンツ配信要求に従い前記コンテンツ提供装置から送信されるコンテンツ鍵が書き込まれる揮発性記憶装置と、決済完了に伴い、前記揮発性記憶装置に書き込まれたコンテンツ鍵が複写され保持される不揮発性記憶装置とを備え、
前記コンテンツ提供装置は、前記コンテンツ利用装置からコンテンツ鍵要求を受信してコンテンツ鍵を送信し、決済処理の終了に伴い、前記不揮発性記憶装置に保持されたコンテンツ鍵を、前記利用者装置から発行されるコンテンツ配信要求の受信を契機に無効にする指示を発行し、前記不揮発性記憶装置に保持されたコンテンツ鍵が無効になった後、前記要求コンテンツを暗号化して配信することを特徴とするコンテンツ提供システム。
【請求項４】
コンテンツ利用装置とはネットワークを介して接続され、要求されたコンテンツを配信するコンテンツ提供装置における鍵情報の活性化方法であって、
前記コンテンツ利用装置からコンテンツ鍵要求を受信してコンテンツ鍵を送信するステップと、
決済処理の終了に伴い、前記利用者装置で実行される、揮発性記憶装置に書き込まれたコンテンツ鍵の不揮発性記憶装置への複写を、前記コンテンツ利用装置から発行されるコンテンツ配信要求の受信を契機に無効にするステップと、
前記コンテンツ鍵が無効になった後、前記要求コンテンツを暗号化して配信するステップと、
を有することを特徴とするコンテンツ提供装置における鍵情報の活性化方法。
【請求項５】
コンテンツ利用装置とはネットワークを介して接続され、要求されたコンテンツを配信するコンテンツ提供装置に用いられるプログラムであって、
前記コンテンツ利用装置からコンテンツ鍵要求を受信してコンテンツ鍵を送信する処理と、
決済処理の終了に伴い、前記利用者装置で実行される、揮発性記憶装置に書き込まれたコンテンツ鍵の不揮発性記憶装置への複写を、前記コンテンツ利用装置から発行されるコンテンツ配信要求の受信を契機に無効にする指示を発行する処理と、
前記コンテンツ鍵情報が無効になった後、前記要求コンテンツを暗号化して配信する処理と、
をコンピュータに実行させるプログラム。
【発明の詳細な説明】
【技術分野】
【０００１】
本発明は、コンテンツ利用装置、コンテンツ提供装置、コンテンツ提供システム、コンテンツ提供装置における鍵情報の活性化方法、プログラムに関する。
【背景技術】
【０００２】
近年、インターネットによるコンピュータネットワークを用いて映画や音楽等のデジタルコンテンツを配信する情報提供サービスが普及してきた。このような情報提供サービスの中で、例えば、電子音楽配信システムにおいては、レコード会社のようなコンテンツプロバイダによって作成されたデジタル音楽コンテンツを所定のサービスプロバイダからインターネット等のコンピュータネットワークを介してオンラインでユーザへ配信するようになされている。
【０００３】
ユーザは、パーソナルコンピュータ等ユーザ機器によって受信したコンテンツをユーザが選択した、例えば、買いきり、あるいは再生可能回数等、あるサービス条件の下で再生し、当該サービス条件の下でコンテンツの利用履歴をユーザログとして記録し、これをコンテンツプロバイダへ送信している。
コンテンツプロバイダは、送信されてきたユーザログに基づいて利用料金を算出し、この利用料金をユーザに通知することで利用料金の決済を行っている（例えば、特許文献１参照）。
【特許文献１】特開２００１−１４７９７０号公報
【発明の開示】
【発明が解決しようとする課題】
【０００４】
しかしながら、上記した従来技術によれば、ユーザ側においてはコンテンツの選択、決済情報の入力等、手続きが煩雑であり、また、コンテンツプロバイダからすれば、決済を済ませることなくコンテンツを取得され、不正に利用される恐れがある。
【０００５】
本発明は上記事情に鑑みてなされたものであり、暗号化されたコンテンツをクレジットカード決済スキームと連動させることにより鍵情報の活性化をはかり、利用者のコンテンツ購入にかかる手続を簡素化し、コンテンツの不正利用を防止する、コンテンツ利用装置、コンテンツ提供装置、コンテンツ提供システム、コンテンツ提供装置における鍵情報の活性化方法、ならびにプログラムを提供することを目的とする。
【課題を解決するための手段】
【０００６】
上記した課題を解決するために本発明は、コンテンツを提供するコンテンツ提供装置とはネットワークを介して接続され、配信されたコンテンツを利用するコンテンツ利用装置であって、コンテンツ配信要求に従い前記コンテンツ提供装置から送信されるコンテンツ鍵が書き込まれる揮発性記憶装置と、決済完了に伴い、前記揮発性記憶装置に書き込まれたコンテンツ鍵が複写され保持される不揮発性記憶装置と、を備えたことを特徴とする。
【０００７】
また、本発明は、コンテンツ利用装置とはネットワークを介して接続され、要求されたコンテンツを配信するコンテンツ提供装置であって、前記コンテンツ利用装置からコンテンツ鍵要求を受信してコンテンツ鍵を送信する鍵情報送信部と、決済処理の終了に伴い、前記コンテンツ利用装置で実行される、揮発性記憶装置に書き込まれたコンテンツ鍵の不揮発性記憶装置への複写を、前記コンテンツ利用装置から発行されるコンテンツ配信要求の受信を契機に無効にする指示を発行するコンテンツ鍵リセット指示部と、前記コンテンツ鍵が無効になった後、前記要求コンテンツを暗号化して配信するコンテンツ配信部と、を備えたことを特徴とする。
【０００８】
また、本発明は、コンテンツを配信するコンテンツ提供装置と、配信された前記コンテンツを利用するコンテンツ利用装置がネットワークを介して接続されるコンテンツ提供システムであって、前記コンテンツ利用装置は、コンテンツ配信要求に従い前記コンテンツ提供装置から送信されるコンテンツ鍵が書き込まれる揮発性記憶装置と、決済完了に伴い、前記揮発性記憶装置に書き込まれたコンテンツ鍵が複写され保持される不揮発性記憶装置とを備え、前記コンテンツ提供装置は、前記コンテンツ利用装置からコンテンツ鍵要求を受信してコンテンツ鍵を送信し、決済処理の終了に伴い、前記不揮発性記憶装置に保持されたコンテンツ鍵を、前記コンテンツ利用装置から発行されるコンテンツ配信要求の受信を契機に無効にする指示を発行し、前記コンテンツ鍵が無効になった後、前記要求コンテンツを暗号化して配信することを特徴とする。
【０００９】
また、本発明は、コンテンツ利用装置とはネットワークを介して接続され、要求されたコンテンツを配信するコンテンツ提供装置における鍵情報の活性化方法であって、前記コンテンツ利用装置からコンテンツ鍵要求を受信してコンテンツ鍵を送信するステップと、決済処理の終了に伴い、前記利用者装置で実行される、揮発性記憶装置に書き込まれたコンテンツ鍵の不揮発性記憶装置への複写を、前記コンテンツ利用装置から発行されるコンテンツ配信要求の受信を契機に無効にする指示を発行するステップと、前記コンテンツ鍵が無効になった後、前記要求コンテンツを暗号化して配信するステップと、を有することを特徴とする。
【００１０】
また、本発明は、コンテンツ利用装置とはネットワークを介して接続され、要求されたコンテンツを配信するコンテンツ提供装置に用いられるプログラムであって、前記コンテンツ利用装置からコンテンツ鍵要求を受信してコンテンツ鍵を送信する処理と、決済処理の終了に伴い、前記コンテンツ利用装置で実行される、揮発性記憶装置に書き込まれたコンテンツ鍵の不揮発性記憶装置への複写を、前記コンテンツ利用装置から発行されるコンテンツ配信要求の受信を契機に無効にする指示を発行する処理と、前記コンテンツ鍵が無効になった後、前記要求コンテンツを暗号化して配信する処理と、をコンピュータに実行させることを特徴とする。
【発明の効果】
【００１１】
本発明によれば、コンテンツ提供装置がコンテンツ利用装置に対してコンテンツ鍵を送信し、決済処理の終了に伴いコンテンツ利用装置で実行される、揮発性記憶装置に書き込まれたコンテンツ鍵の不揮発性記憶装置への複写を、コンテンツ利用装置から発行されるコンテンツ配信要求の受信を契機に無効にして要求コンテンツを暗号化して配信することで、コンテンツ鍵の復号化と決済処理を連動させることができ、このことにより、コンテンツの不正コピーが行われても二次利用者はコンテンツを利用することができず、また、決済が終了するまでコンテンツ鍵情揮発性記憶装置に存在し、消去されるため、決済を行わずに鍵情報を取得するといった不正行為を行ってもコンテンツを復号化することはできない。このことにより、利用者のコンテンツ購入にかかる手続を簡素化し、コンテンツの不正利用を防止することができる。
また、本発明によれば、コンテンツ利用装置が、コンテンツ提供装置から送信されるコンテンツ鍵を揮発性記憶装置に書き込み、決済完了に伴い、この揮発性記憶装置に書き込まれたコンテンツ鍵を不揮発性記憶装置に複写して保持することで、コンテンツ利用装置である、例えば、ＩＣカードをリーダライタから抜いた場合にもコンテンツ鍵が不揮発性記憶装置に残り、そのＩＣカードを他のコンテンツ利用装置に差し込むことでコンテンツの閲覧が可能になる。
【発明を実施するための最良の形態】
【００１２】
図１は、本発明が実施されるコンテンツ提供システムのシステム構成の一例を示す図である。
ここでは、クレジット決済を前提とするため、インターネット等のコンピュータネットワーク３に、コンテンツプロバイダが設置し管理する、本発明のコンテンツ提供装置が実装されるコンテンツサーバ２と、クレジット会社が設置し管理するクレジットサーバ４、ならびに利用者が所持する、ＩＣカードリーダライタが接続され、あるいは組み込まれたパーソナルコンピュータ等から成る複数のコンテンツ利用装置１が接続されている。
なお、ここでいうコンテンツとは、静止画や動画、音楽、写真、映画、番組の他に地図等も含まれる。
【００１３】
図２は、本発明実施形態にかかわるコンテンツ提供システムの内部構成の一例を示すブロック図である。
本発明のコンテンツ提供システムは、コンテンツを配信するコンテンツ提供装置２と、配信されたコンテンツを利用するコンテンツ利用装置１とがネットワーク３を介して接続される。
コンテンツ利用装置１は、例えばＩＣカード等のデバイスから成り、コンテンツ要求送信部１１と、コンテンツ鍵受信部１２と、決済要求送信部１３と、コンテンツ鍵書込み部１４と、コンテンツ鍵復号部１５と、コンテンツ要求送信部１６と、暗号化コンテンツ受信部１７と、各種データファイルの記憶装置（記憶装置１８、揮発性記憶装置１９、不揮発性記憶装置２０）で構成され、コンテンツ提供装置２は、コンテンツ鍵要求受信部２１と、コンテンツ鍵送信部２２と、決済要求受信部２３と、決済終了通知部２４と、コンテンツ要求受信部２５と、コンテンツ鍵リセット指示部２６と、暗号化コンテンツ配信部２７と、コンテンツＤＢ２８で構成される。
【００１４】
コンテンツ利用装置１におけるコンテンツ鍵要求送信部１１は、コンテンツの受信に先立ち、コンテンツサーバ２に対してコンテンツ鍵の送信を要求する機能を持つ。コンテンツ鍵受信部１２は、コンテンツサーバ２から受信した鍵情報をコンテンツ鍵書込み部１４ならびに決済要求送信部１３へ供給する。決済要求送信部１３は、コンテンツサーバ２に対し、クレジットサーバ４との間手行わせレル決済処理を起動し、また、コンテンツ鍵書込み部１４は、受信したコンテンツ鍵情報を揮発性記憶装置１９にデータファイルとして書き込む。
コンテンツ鍵復号部１５は、コンテンツサーバ２による決済処理の終了を待ってコンテンツ鍵書込み部１４によって揮発性記憶装置１９に書き込まれたコンテンツ鍵情報を複写して不揮発性記憶装置２０に書き込む。また、コンテンツ要求送信部１６は、コンテンツサーバ２に対しコンテンツ要求を送信し、暗号化コンテンツ受信部１７は、コンテンツサーバ２から送信される暗号化コンテンツを受信して記憶装置１８にコンテンツファイルとして蓄積する。
【００１５】
コンテンツ提供装置におけるコンテンツ鍵送信部２２は、コンテンツ利用装置１からコンテンツ鍵要求を、コンテンツ鍵要求受信部２１を介して受信し、コンテンツ鍵を送信する。また、決済要求受信部２３は、コンテンツ利用装置１から決済要求を受信してクレジットサーバ４との間で決済処理を行う。決済処理を終えると決済終了通知部２４にその旨の通知がなされ、コンテンツ利用装置１のコンテンツ鍵復号部１５によるコンテンツ鍵の複写処理を起動する。
一方、コンテンツ要求受信部２５は、コンテンツ利用装置１から発行されるコンテンツ要求を受信してコンテンツ鍵リセット指示部２６を起動する。コンテンツ鍵リセット指示部２６は、決済処理の終了に伴い、コンテンツ利用装置１で実行される、揮発性記憶装置１９に書き込まれた鍵情報の不揮発性記憶装置２０への複写を、コンテンツ利用装置１から発行されるコンテンツ要求の受信を契機に無効にする指示を発行する機能を持つ。暗号化コンテンツ配信部２７は、コンテンツ鍵情報が無効になった後、要求コンテンツを暗号化してコンテンツ利用装置１に配信する機能を持つ。
【００１６】
なお、上述における決済情報の送受信は、ここでは、ＥＭＶ（Europay Mastercard VISA）仕様に準拠するものとする。ＥＭＶは、その名に示すクレジット会社３社が策定したスマートカードの相互運用をはかるために策定された共通仕様であり、決済システムにおいて、正確な操作と互換性が確保されるように、カードと端末とアプリケーションに要求される最低限度の機能が示されている。また、鍵交換については、ＲＳＡ方式に準拠しても構わない。
【００１７】
図３は、図１、図２に示す本発明実施形態の動作を示す動作シーケンス図である。ここでは、クレレジットサーバ４、コンテンツサーバ２、コンテンツ利用装置１としてのＩＣカードの動作が示されている。
ここでは、コンテンツの不正利用を防ぐために、コンテンツを暗号化して配信するシステムを想定している。まず、利用者からのコンテンツ鍵要求をコンテンツサーバ２のコンテンツ鍵要求受信部２１が受信する（Ｓ３１）。コンテンツ鍵要求受信部２１は、コンテンツ鍵送信部２２を起動してコンテンツ鍵をコンテンツ利用装置としてのＩＣカード１に送信するが、このコンテンツ鍵は、ＩＣカード１のコンテンツ鍵受信部１２で受信され（Ｓ３２）、コンテンツ鍵書込み部１４により揮発性記憶装置１９に格納される。
【００１８】
続いて、ＩＣカード１から決済要求が送信され（Ｓ３３）、これを受信したコンテンツサーバ２は、クレジットサーバ４との間で決済処理を行う（Ｓ３４）。コンテンツサーバ２は、決済処理終了の通知を待って（Ｓ３５）、決済処理通知部２４を介してＩＣカード１に通知し（Ｓ３６）、更に、コンテンツ鍵復号部１５を起動して揮発性記憶装置１９に格納されたコンテンツ鍵の複写を開始し、複写されたコンテンツ鍵を不揮発性記憶装置２０に保持する（Ｓ３７）。この複写処理を終えたところで（Ｓ３８）、ＩＣカード１は、コンテンツサーバ２に対してコンテンツ要求を送信する（Ｓ３９）。
なお、利用者が決済を行わない場合、コンテンツ鍵は揮発性記憶装置１９に保持されているため、リセット指示により消去される。但し、プレビュー用の鍵として１回のみ利用するという仕組みにすることも可能である。
【００１９】
また、ＩＣカード１から発行されるコンテンツ要求は、コンテンツサーバ２のコンテンツ要求受信部２５で受信され、コンテンツ要求受信部２５は、コンテンツ鍵リセット指示部２６を起動する。コンテンツ鍵リセット指示部２６は、コンテンツ配信要求の受信を契機に揮発性記憶装置１９に保持されたコンテンツ鍵を無効にする指示を発行する。
すなわち、コンテンツ鍵をリセットし、ＩＣカード１とコンテンツサーバ２間でセッションを張ってコンテンツ鍵の再配送を行う（Ｓ４０）。ここで暗号化コンテンツ配信部２７が起動し、コンテンツＤＢ２８から要求コンテンツを取得してＩＣカード１に対して要求コンテンツを配信する（Ｓ４１）。ＩＣカード１は、これを受信してコンテンツを復号化して視聴することができる（Ｓ４２）。
【００２０】
図４にＩＣカードの内部構成の一例が示されている。ここでは、ＩＣカード１は、本発明のコンテンツ利用装置２として実装され、ＣＰＵ４１を核に、ＲＯＭ４２、ＲＡＭ（揮発性記憶装置）４３、ＥＥＰＲＯＭ（不揮発性記憶装置）４４、Ｓ／Ｐ４６（直並列変換回路）、Ｐ／Ｓ４７（並直列変換回路）が内部バス５２に共通接続される本体チップ、およびＲＦインタフェース５０（非接触ＩＣカードの場合のみ）で構成される。また、ＣＰＵ４１には割り込みロジック４５が接続され、各ブロックには、外部から供給されるリセット４８、クロック４９、そして電源５１のそれぞれが供給される。
【００２１】
ＣＰＵ４１は、ＲＯＭ４２に製造段階で記録されたプログラムに基づき、コンテンツサーバ２からのコンテンツ受信に先立ってコンテンツサーバ２に対してコンテンツ鍵の送信を要求するコンテンツ鍵要求送信部１１、コンテンツサーバ２から受信した鍵情報をコンテンツ鍵書込み部１４ならびに決済要求送信部１３へ供給するコンテンツ鍵受信部１２、コンテンツサーバ２に対し、クレジットサーバ４との間で行なわれる決済処理を起動する決済要求送信部１３、受信したコンテンツ鍵を揮発性記憶装置１９にデータファイルとして書き込むコンテンツ鍵書込み部１４、コンテンツサーバ２による決済処理の終了を待ってコンテンツ鍵書込み部１４によって揮発性記憶装置１９に書き込まれたコンテンツ鍵を複写して不揮発性記憶装置２０に書き込むコンテンツ鍵復号部１５、コンテンツサーバ２に対しコンテンツ要求を送信するコンテンツ要求送信部１６、コンテンツサーバ２から送信される暗号化コンテンツを受信して記憶装置１８にコンテンツファイルとして蓄積する暗号化コンテンツ受信部１７としてのそれぞれの機能を実行する。
【００２２】
以上説明のように本発明は、コンテンツサーバ２がコンテンツ利用装置１に対してコンテンツ鍵を送信し、決済処理の終了に伴いコンテンツ利用装置１で実行される、揮発性記憶装置１９に書き込まれたコンテンツ鍵の不揮発性記憶装置２０への複写を、コンテンツ利用装置１から発行されるコンテンツ配信要求の受信を契機に無効にして要求コンテンツを暗号化して配信することで、コンテンツ鍵の復号化と決済処理を連動させるものである。
このことにより、コンテンツの不正コピーが行われても二次利用者はコンテンツを利用することができず、また、決済が終了するまでコンテンツ鍵は揮発性記憶装置１９に存在し、消去されるため、決済を行わずに鍵情報を取得するといった不正行為を行ってもコンテンツを復号化することはできない。このことにより、利用者のコンテンツ購入にかかる手続を簡素化し、コンテンツの不正利用を防止するものである。
【００２３】
また、本発明によれば、コンテンツ利用装置が、コンテンツサーバ２から送信されるコンテンツ鍵を揮発性記憶装置１９に書き込み、決済完了に伴い、この揮発性記憶装置１９に書き込まれたコンテンツ鍵を不揮発性記憶装置２０に複写して保持することで、コンテンツ利用装置である、例えば、ＩＣカードをリーダライタから抜いた場合にもコンテンツ鍵が不揮発性記憶装置２０に残り、そのＩＣカード１を他のコンテンツ利用装置に差し込むことでコンテンツの閲覧を可能にする。
【００２４】
なお、図２に示す、コンテンツ鍵要求送信部１１、コンテンツ鍵受信部１２、決済要求送信部１３、コンテンツ鍵書込み部１４、コンテンツ鍵復号部１５、コンテンツ要求送信部１６、暗号化コンテンツ受信部１７、コンテンツ鍵要求受信部２１、コンテンツ鍵送信部２２、決済要求受信部２３、決済終了通知部２４、コンテンツ要求受信部２５、コンテンツ鍵リセット指示部２６、暗号化コンテンツ配信部２７のそれぞれで実行される手順をコンピュータ読み取り可能な記録媒体に記録し、この記録媒体に記録されたプログラムをコンピュータシステムに読み込ませ、実行することによって本発明のコンテンツ提供装置、コンテンツ利用装置、コンテンツ提供システムを実現することができる。ここでいうコンピュータシステムとは、ＯＳや周辺機器等のハードウェアを含む。
【００２５】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００２６】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００２７】
【図１】本発明が実施されるコンテンツ提供システムのシステム構成の一例を示す図である。
【図２】本発明実施形態にかかわるコンテンツ提供システムの内部構成を示すブロック図である。
【図３】本発明実施形態にかかわる動作を説明するために引用した動作シーケンス図である。
【図４】本発明実施形態にかかわるコンテンツ利用装置の内部構成の一例を示すブロック図である。
【符号の説明】
【００２８】
１…コンテンツ利用装置、２…コンテンツサーバ（コンテンツ提供装置）、３…ネットワーク、４…クレジットサーバ、１１…コンテンツ鍵要求送信部、１２…コンテンツ鍵受信部、１３…決済要求送信部、１４…コンテンツ鍵書込み部、１５…コンテンツ鍵復号部、１６…コンテンツ要求送信部、１７…暗号化コンテンツ受信部、１８…記憶装置、１９…揮発性記憶装置、２０…不揮発性記憶装置、２１…コンテンツ鍵要求受信部、２２…コンテンツ鍵送信部、２３…決済要求受信部、２４…決済終了通知部、２５…コンテンツ要求受信部、２６…コンテンツ鍵リセット指示部、２７…暗号化コンテンツ配信部、２８…コンテンツＤＢ
【図１】
2006013694.tif 000003
【図２】
2006013694.tif 000004
【図３】
2006013694.tif 000005
【図４】
2006013694.tif 000006